(57)【要約】【課題】イオン化エアを活性化し、雑排水槽中の排水を槽の中心部に集めるようにし、油脂類を含むスカム等を効率良く凝集、粒状化、減量化を可能とする雑排水用クリーンシステムの提供。【解決手段】エア配管組み合せ構造体ＰＫにおいて、選択的に決めた所望の分岐管２、２…に所望ピッチで所定径のエア噴出孔５′を穿設すると共に、配管の途中所望位置に、前後に径違い接続部４ａを有する所定長さの異径拡大管を形成するエア噴出筒４を１または２以上複数個設け、前記異径拡大管の周面の所定部位に所定径のエア噴出孔５を適宜ピッチで所望個数穿設し、前記異径拡大管の内部にはエア流によって転動、回動自在となるように所望径のエアに接触して機能する機能性材料の塊状体６を適量封入し、前段に前記塊状体６を封入した機能発生筒３を有し、前記エア配管組み合わせ構造体ＰＫはそれ自体、自立型の構成としたことを特徴とする。【選択図】        図１
2004243171.tif 000002
【特許請求の範囲】
【請求項１】
所望形状に組み合せたエア配管組み合わせ構造体において、前記エア配管の選択的に決めた所望の分岐管に所望ピッチで所定径のエア噴出孔を穿設すると共に、配管の途中所望位置に、前後に径違い接続部を有する所定長さの異径拡大管を形成するエア噴出筒を１または２以上複数個設け、前記異径拡大管の周面の所定部位に所定径のエア噴出孔を適宜ピッチで所望個数穿設し、前記異径拡大管の内部にはエア流によって転動、回動自在となるように所望径のエアに接触して機能する機能性材料の塊状体を適量封入し、前段に前記塊状体を封入した機能発生筒を有し、前記エア配管組み合わせ構造体はそれ自体、自立型の構成としたことを特徴とする雑排水用クリーンシステム。
【請求項２】
請求項１記載の雑排水用クリーンシステムにおいて、全てのエア噴出孔は、配管組み合わせ構造体としたときに、雑排水槽の中心部に油分やスカムの生成物が集るように、噴出方向性を持たせたことを特徴とする雑排水用クリーンシステム。
【請求項３】
請求項１記載の雑排水用クリーンシステムにおいて、前記塊状体は、エア流によって転動、回動し易く、相互に衝突し合い、エアと接触効率の良い所望径の球状体としたことを特徴とする雑排水用クリーンシステム。
【請求項４】
請求項１乃至３のいずれかに記載の雑排水用クリーンシステムにおいて、前記塊状体は、ゼオライトまたはセラミックス或いはゼオライトを含む粉末材料を焼結生成した多孔質の塊状体であることを特徴とする雑排水用クリーンシステム。
【発明の詳細な説明】
【０００１】
【発明の属する技術分野】
本発明は、家庭用、業務用等の雑排水を浄化する雑排水用クリーンシステムに関する。
【０００２】
【従来の技術】
従来、油脂成分を含んだ雑排水を浄化する装置として、雑排水を貯留する貯留槽内に入れられた次の１と２の特徴を有する緑泥片岩を含んだ構成体と、１）貫通孔により構成された多孔質であり、孔内に油脂成分を分解する微生物を有し、２）水分子に対して酸化還元作用を及ぼす性質を有し、前記貯留槽の雑排水中に触媒装置を通したエアを放出して雑排水を活性化されたエアにより攪拌するエア放出手段と、前記緑泥片岩を含んだ構成体および雑排水中にマイナスイオンを供給するマイナスイオンを供給手段と、前記緑泥片岩を含んだ構成体および雑排水中に磁力を作用させる磁気手段とを備え、前記構成体は緑泥片岩を微粉末にし、セラミックの粉を混合して焼結してなり、球状或いはハニカム構造になっていることを特徴とする雑排水の浄化装置が開示されている（例えば、特許文献１参照。）。
【０００３】
【特許文献１】
特許第３００７３３３号公報
【０００４】
【発明が解決しようとする課題】
然しながら、上述の従来例では、場合によって貯留槽内の油脂分等を含むスカム（ｓｃｕｍ）が処理されず、実質的な効果が認められないという問題がある。
【０００５】
本発明は、上述の点に着目して成されたもので、機能性塊状体にエアを接触させ、イオン化エアを活性化し、雑排水槽中の排水を槽の中心部に集めるようにし、油脂類を含むスカム等を効率良く凝集、粒状化、且つ減量化を可能とする配管組み合せ構造体を備えた雑排水用クリーンシステムを提供することを目的とする。
【０００６】
【課題を解決するための手段】
本発明は、下記構成を備えることにより上記課題を解決できるものである。
【０００７】
（１）所望形状に組み合せたエア配管組み合わせ構造体において、前記エア配管の選択的に決めた所望の分岐管に所望ピッチで所定径のエア噴出孔を穿設すると共に、配管の途中所望位置に、前後に径違い接続部を有する所定長さの異径拡大管を形成するエア噴出筒を１または２以上複数個設け、前記異径拡大管の周面の所定部位に所定径のエア噴出孔を適宜ピッチで所望個数穿設し、前記異径拡大管の内部にはエア流によって転動、回動自在となるように所望径のエアに接触して機能する機能性材料の塊状体を適量封入し、前段に前記塊状体を封入した機能発生筒を有し、前記エア配管組み合わせ構造体はそれ自体、自立型の構成とした雑排水用クリーンシステム。
【０００８】
（２）前項（１）記載の雑排水用クリーンシステムにおいて、全てのエア噴出孔は、配管組み合わせ構造体としたときに、排水貯槽の中心部に油分やスカムの生成物が集るように、噴出方向性を持たせた雑排水用クリーンシステム。
【０００９】
（３）前項（１）記載の雑排水用クリーンシステムにおいて、前記塊状体は、エア流によって転動、回動し易く、相互に衝突し合い、エアと接触効率の良い所望径の球状体とした雑排水用クリーンシステム。
【００１０】
（４）前項（１）乃至（３）のいずれかに記載の雑排水用クリーンシステムにおいて、前記塊状体は、ゼオライトまたはセラミックス或いはゼオライトを含む粉末材料を焼結生成した多孔質の塊状体である雑排水用クリーンシステム。
【００１１】
【発明の実施の形態】
以下、本発明に係る雑排水用クリーンシステムの実施の形態を説明する。
【００１２】
図１は、本発明に係る雑排水用クリーンシステムの全体構成例を示す透視斜視図、図２は、機能発生筒の構成を示す断面図、図３（ａ）は、エア噴出筒の構成を示す断面図、（ｂ）はエア噴出筒の所定部位に軸方向２列のエア噴出孔を設けた一例を示す斜視図、図４は、本発明に係る雑排水用クリーンシステム運転時の雑排水の流れが噴出エアの方向に追随して中心部に集る様子を示す平面説明図、図５は、本発明に係る雑排水用クリーンシステム運転時の雑排水の流れが噴出エアの方向に追随して中心部に集る様子を示す立面説明図である。
【００１３】
本発明に係る実施例について、以下に図面を参照して説明する。
【００１４】
家庭用、業務用等の雑排水槽１内に、例えば、疑似３次元格子状等の所望形状に組み合せたエア配管組み合わせ構造体ＰＫを設置し、選択したエア配管の分岐管２、２…に所望ピッチで所定径のエア噴出孔５′を穿設すると共に、配管の途中所望位置に、前後に径違い接続部４ａ、４ａを有する所定長さの異径拡大管を形成するエア噴出筒４を１または２以上複数個設け、前記異径拡大管の周面の所定部位に所定径のエア噴出孔５を適宜ピッチで所望個数穿設し、前記異径拡大管の内部にはエア流によって転動、回動自在となるように所望径のエアに接触して機能する機能性材料の塊状体６、６…を適量封入し、前段に前記塊状体６、６…を封入した機能発生筒３を有し、前記エア配管組み合わせ構造体ＰＫはそれ自体、自立型の構成としてある。
【００１５】
分岐管２及びエア噴出筒４の全てのエア噴出孔５は、配管組み合わせ構造体ＰＫとしたときに、雑排水槽１の中心部に油分やスカムの生成物が集るように、噴出方向性を持たせてある。
【００１６】
前記塊状体６、６…は、エア流によって転動、回動し易く、相互に衝突し合い、エアと接触効率の良い所望径の球状体とし、前記塊状体６、６…は、ゼオライトまたはセラミックス或いはゼオライトを含む粉末材料を焼結生成した多孔質の塊状体であることを特徴とする。
【００１７】
Ｖ１はメインバルブであり、Ｖｘは配管を組み立てた時の分岐管２、２…に適宜設けたエア流量調節可能な弁構造体であり、夫々の分岐管２、２…には適宜ピッチでエア噴出孔５′、５′…が穿設されている。
【００１８】
３ａ及び４ａは径違い接続部であり、３ｂ及び４ｂは接続用短管であり、３ｃ及び４ｃは孔開き仕切り板である。
【００１９】
例えば、合成樹脂製の管を用いて組み立てる際に、目的の雑排水槽の形状及び大きさを勘案して配管部材の直径、長さ、本数を決め、前記槽内に収めた時にガタを生じないように配管の所定部分が槽の内壁面に当接して突っ張った状態を保持し、振動その他の外力に影響を受けない様に組み立てることを特徴とする。
【００２０】
上述の構成及び図面を参照して作用等を説明する。
【００２１】
図１において、不図示の送風装置または空気圧縮装置等により供給されるエアを、メインバルブＶ１を開いて導入し、先ず機能発生筒３に入ったエアＡ１は径違い接続部３ａを介し、孔開き仕切り板３ｃの孔を通過分散して機能発生筒３内に封入されたゼオライトまたはセラミックス、或いはゼオライトを含む原料を粉末化して焼結生成した機能性塊状体６、６…と衝突・接触して機能的に活性化されたイオン化エアＡ２となって配管内を進み、各分岐管２、２…、及びエア噴出筒４、４に供給され、各エア噴出孔５、５…及び５′、５′…から夫々槽の中心部に向かって二段階で活性化されたイオン化エアＡ３が噴出され、水面を覆うように浮遊した油脂類を含むスカム（ｓｃｕｍ）を凝集・粒状化、且つ減量化して浮遊物質が解消され、脱臭作用も働き、雑排水の透視度を向上させる。
【００２２】
従って、スカム等を除去するためのバキュウムカーを使用することなく、１〜２ヶ月に１回程度の除去作業を人手で行えば済むこととなる。
【００２３】
尚、機能性塊状体６、６…は、ゼオライトまたはセラミックス、或いはゼオライトを含む粉末材料を焼結生成した塊状体または球状体に形成した物である。
【００２４】
実施例ではエア噴出孔５の孔径を１．８ｍｍφ、使用したゼオライト等の機能性塊状体６の大きさは、機能発生筒３やエア噴出筒４の内径約４０ｍｍに対し径が約１５ｍｍφとしたが、エアの圧力や雑排水槽の大きさ、その他の条件に応じて決定することになる。構成要件としては、供給するエアと十分に接触できるように塊状体の大きさや形状、機能発生筒やエア噴出筒への充填量をエア流によって十分に転動・接触可能に決定することが重要である。
【００２５】
このゼオライトは、主としてアルミニウム、珪素、ナトリウム、カルシウム、酸素等から構成され、イオン交換、吸着、脱臭等の機能を備えており、この多孔質の塊状体にエアを吹き付けることで、微細な孔を通過したエアは活性化され、油脂類を含む浮遊物質（スカム：ｓｃｕｍ）を吸着凝集・脱臭・粒状化して透視度を高め、雑排水槽内の雑排水を浄化可能である。
【００２６】
即ち、ゼオライト等の機能性塊状体の表面や多孔性のネット状連通孔内をエア等を接触・通過させることで、塊状体に触媒としての機能を生ぜしめ、イオン化エアの活性化を促進し、活性化したイオン化エアを通して排水に作用し、排水の浄化を行うことができる。
【００２７】
尚、雑排水槽の中心部にスカムを集めるようにしたことで、再凝集・再粒状化・減量化が効率よく実施される特徴がある。
【００２８】
また、本実施例では機能発生のため、機能発生筒とエア噴出筒の二段階での活性化を行ったが、条件等によって活性化のステップを増やし、三段階、四段階……としても良い。
【００２９】
また、天然のゼオライトとしては、モルデナイト系の下記の鉱物組成と化学的性質を有するものが挙げられ、本実施例は、この材料を選んで実施したものであるが、合成ゼオライトを用いても有効なことは勿論である。
【００３０】
因みに使用材料の分析結果の一例を挙げると、次のようである。
【００３１】
水分（Ｈ２Ｏ）                ：３．２３％
けい酸全量（ＳｉＯ２）        ：６４．０４％
酸化ナトリウム（Ｎａ２Ｏ）    ：１．１７％
加里全量（Ｋ２Ｏ）            ：１．８２％
石灰全量（ＣａＯ）            ：２．５１％
苦土全量（ＭｇＯ）            ：０．７６％
酸化鉄（Ｆｅ２Ｏ３）            ：５．５５％
酸化アルミニウム（Ａｌ２Ｏ３）  ：１２．３２％
天然のものを使用する場合は、産地によって、その効果が異なる。
【００３２】
尚、機能性塊状体としては、多孔性のネット状連通孔を有する構造のイオン化エアを活性化する触媒的機能を備える物質であって、天然でも合成でも良く、ゼオライトに限定するものではない。
【００３３】
【発明の効果】
以上説明したように、本発明によれば、機能性塊状体にエアを接触させ、イオン化エアを活性化し、雑排水槽中の排水を槽の中心部に集めるようにし、油脂類を含むスカム等を効率良く凝集、粒状化、減量化を可能とする効果を呈する。
【図面の簡単な説明】
【図１】本発明に係る雑排水用クリーンシステムの全体構成例を示す透視斜視図
【図２】機能発生筒の構成を示す断面図
【図３】（ａ）エア噴出筒の構成を示す断面図、（ｂ）エア噴出筒の所定部位に軸方向２列のエア噴出孔を設けた一例を示す斜視図
【図４】本発明に係る雑排水用クリーンシステム運転時の雑排水の流れが噴出エアの方向に追随して中心部に集る様子を示す平面説明図
【図５】本発明に係る雑排水用クリーンシステム運転時の雑排水の流れが噴出エアの方向に追随して中心部に集る様子を示す立面説明図
【符号の説明】
１  雑排水槽
２  分岐管
３  機能発生筒
４  エア噴出筒
３ａ、４ａ  径違い接続部
５、５′  エア噴出孔
６  塊状体
Ｖ１  メインバルブ
Ｖｘ  流量調節可能な弁構造体
ＰＫ  エア配管組み合わせ構造体
Ａ１  エア
Ａ２、Ａ３  活性化エア
【図１】
2004243171.tif 000003
【図２】
2004243171.tif 000004
【図３】
2004243171.tif 000005
【図４】
2004243171.tif 000006
【図５】
2004243171.tif 000007